(57)【要約】【課題】キッチンキャビネットの収納空間を有効に利用し、奥側に収納したキッチン用品を容易に取り出せるとともに、使い勝手のよい収納構造を提供する。【解決手段】キッチンキャビネット６の内部に設けられ、キッチン用品を収納する構造であって、該収納構造は上記キャビネット６の棚板５の下面に固定された固定レール４と、この固定レール４に遊嵌合する可動レール３と、この可動レール３に着脱自在に取り付けられた収納箱Ａとからなるとともに、該収納箱Ａは上記固定レール４に沿って前後にスライド自在とされたキッチンキャビネットの収納構造。【選択図】図１
2006166949.tif 000002
【特許請求の範囲】
【請求項１】
キッチンキャビネットの内部に設けられ、キッチン用品を収納する構造であって、該収納構造は上記キャビネットの棚板の下面に固定された固定レールと、この固定レールに遊嵌合する可動レールと、この可動レールに着脱自在に取り付けられた収納箱とからなるとともに、該収納箱は上記固定レールに沿って前後にスライド自在とされたキッチンキャビネットの収納構造。
【請求項２】
上記収納箱をパイプとジョイントとからなる枠体に底板を組み付けて構成するとともに、上記可動レールに下向きに突設された係止突起を上記パイプの端部を受け孔として着脱自在に係止した請求項１に記載のキッチンキャビネットの収納構造。
【請求項３】
キッチンキャビネットの内部に設けられ、キッチン用品を収納する構造であって、該収納構造は上記キャビネットの棚板の上面に固定された固定レールと、この固定レールに遊嵌合する可動レールと、この可動レールに着脱自在に取り付けられた収納箱とからなるとともに、該収納箱は上記固定レールに沿って前後にスライド自在とされたキッチンキャビネットの収納構造。
【請求項４】
上記収納箱をパイプとジョイントとからなる枠体に底板を組み付けて構成するとともに、上記可動レールに上向きに突設された係止突起を上記パイプの端部を受け孔として着脱自在に係止した請求項３に記載のキッチンキャビネットの収納構造。
【発明の詳細な説明】
【技術分野】
【０００１】
本発明は、キッチンキャビネットに設けられる収納構造に関する。さらに詳しくは、キッチンキャビネットに架設された棚板に前後にスライド自在に取り付けられる収納箱を含む収納構造に関する。
【背景技術】
【０００２】
システムキッチンのシンクやレンジ等の下方に設けられるキッチンキャビネットは、通常、フライパンや鍋等の調理器具、調理道具、あるいは各種の調味料等のキッチン用品の収納場所として利用されている。このとき、キャビネット内の空間を有効に利用するため、側板の間に棚板を架設して上下のスペースを仕切り、キッチン用品を区分して収納することが行われている。
【特許文献１】特開平９−７５１５３号公報（第１−３頁、第１図、第８図）
【発明の開示】
【発明が解決しようとする課題】
【０００３】
上記特許文献１には、その第１図、第８図からよくわかるように、シンク下方のキャビネット内に収納棚を設け、この収納棚を着脱自在な懸垂具を介して吊り下げる技術が開示されている。しかしながら、上記特許文献１に記載の技術においては、キャビネットの収納空間を必ずしも有効に利用しているとはいい難い。本発明は上記キャビネットの収納空間を有効に利用するとともに、キャビネットの奥に収納したキッチン用品を容易に取り出すことができ、かつ、使い勝手のよいキッチンキャビネットの収納構造を提供することを、その課題とする。
【課題を解決するための手段】
【０００４】
上記した課題を解決するために、本発明においては、つぎのような技術的手段を講じている。すなわち、本願第１発明によれば、キッチンキャビネットの内部に設けられ、キッチン用品を収納する構造であって、該収納構造は上記キャビネットの棚板の下面に固定された固定レールと、この固定レールに遊嵌合する可動レールと、この可動レールに着脱自在に取り付けられた収納箱とからなるとともに、該収納箱は上記固定レールに沿って前後にスライド自在とされたキッチンキャビネットの収納構造が提供される。上記固定レールは金属成型品、樹脂成型品等が好ましく用いられ、その両端を断面コの字型に形成して可動レール保持部とし、この保持部に上記可動レールが遊嵌合される。
【０００５】
上記収納箱をパイプとジョイントとからなる枠体に底板を組み付けて構成するとともに、上記可動レールに下向きに突設された係止突起を上記パイプの端部を受け孔として着脱自在に弾性係止することが好ましい。なお、上記受け孔はパイプを受けるジョイントの端部を、そのまま受け孔として用いることもできる。
【０００６】
上記係止突起は、通常、可動レールと一体的に形成され、硬質塩化ビニル、ポリプロピレン、ＡＢＳ樹脂、ポリカーボネート樹脂等の硬質合成樹脂が好ましく用いられる。また、上記パイプは上記係止突起と弾性的に係止可能な合成樹脂から形成されることが好ましい。
【０００７】
また、本願第２発明によれば、キッチンキャビネットの内部に設けられ、キッチン用品を収納する構造であって、該収納構造は上記キャビネットの棚板の上面に固定された固定レールと、この固定レールに遊嵌合する可動レールと、この可動レールに着脱自在に取り付けられた収納箱とからなるとともに、該収納箱は上記固定レールに沿って前後にスライド自在とされたキッチンキャビネットの収納構造が提供される。
【０００８】
上記収納箱をパイプとジョイントとからなる枠体に底板を組み付けて構成するとともに、上記可動レールに上向きに突設された係止突起を上記パイプの端部を受け孔として着脱自在に弾性係止することが好ましい。なお、上記受け孔はパイプを受けるジョイントの端部を、そのまま受け孔として用いることもできる。
【０００９】
上記係止突起は、通常、可動レールと一体的に形成され、硬質塩化ビニル、ポリプロピレン、ＡＢＳ樹脂、ポリカーボネート樹脂等の硬質合成樹脂が好ましく用いられる。また、上記パイプは上記係止突起と弾性的に係止可能な合成樹脂から形成されることが好ましい。
【発明の効果】
【００１０】
請求項１に記載の第１発明は上記のとおりであり、キッチンキャビネットの内部に架設された棚板の下面に固定された固定レールと、この固定レールに可動レールを介して着脱自在に取り付けられた収納箱とからなり、該収納箱は固定レールに沿って前後にスライド自在とされているため、収納箱を引き出すことによって収納箱の奥に収納されたキッチン用品を手前にすることが可能となり、容易に取り出すことができる。その結果、キッチンキャビネットの収納空間を有効に、かつ、使い勝手よく利用することができる。
【００１１】
上記収納箱をパイプとジョイントとからなる枠体に底板を組み付けて構成するとともに、上記可動レールに下向きに突設された係止突起が上記パイプの端部を受け孔として着脱自在に係止されるため、必要に応じて上記収納箱を取り外すことができる。また、目的により、収納箱の大きさを変えて適宜取り付けることができる。
【００１２】
請求項３に記載の第２発明は上記のとおりであり、キッチンキャビネットの内部に架設された棚板の上面に固定された固定レールと、この固定レールに可動レールを介して着脱自在に取り付けられた収納箱とからなり、該収納箱は固定レールに沿って前後にスライド自在とされているため、収納箱を引き出すことによって収納箱の奥に収納されたキッチン用品を手前にすることが可能となり、容易に取り出すことができる。その結果、とくに、キッチンキャビネットの上方のスペースを収納空間として有効に、かつ、使い勝手よく利用することができる。
【００１３】
上記収納箱をパイプとジョイントとからなる枠体に底板を組み付けて構成するとともに、上記可動レールに上向きに突設された係止突起が上記パイプの端部を受け孔として着脱自在に係止されるため、必要に応じて上記収納箱を取り外すことができる。また、目的により、収納箱の大きさを変えて適宜取り付けることができる。
【発明を実施するための最良の形態】
【００１４】
以下、本発明の実施形態について図面を参照して、詳細に説明する。図１は、第１発明にかかるキッチンキャビネットの収納構造の実施形態を示す説明図である。図２は上記の収納構造に用いられる収納箱Ａを示す分解斜視図である。図１からよくわかるように、上記収納構造は、キッチンキャビネット６の側板６１、６２に架設された棚板５の下面に固定された固定レール４と、この固定レール４に遊嵌合する可動レール３と、この可動レール３に矢印で示すように着脱自在に取り付けられる収納箱Ａとからなっている。
【００１５】
図２によく示されているように、上記収納箱Ａはパイプ１２とジョイント１３とからなる枠体１と底板２とから構成され、底板２は四隅を切り欠かれ枠体１に着脱自在に組み付けられる。また、図１に示されているように、上記可動レール３の下面には硬質合成樹脂から形成された係止突起３１が下向きに突設され、上記枠体１の四隅のパイプの端部を受け孔１１として着脱自在に係止される。
【００１６】
図３は、上記固定レール４に遊嵌合した可動レール３に収納箱Ａを取り付け、キッチン用品を収納した状態を示す正面図である。図３からよくわかるように、可動レール３は固定レール４の両端に延設された保持部で保持されるとともに遊嵌合し、収納箱Ａは可動レール３を介して固定レール４に前後にスライド自在に取り付けられている。したがって、キッチン用品を収納した収納箱Ａは、枠体１の手前のパイプ１２を把手としてキッチンキャビネット６から引き出すことが可能で、奥側に収められたキッチン用品を簡単に取り出すことができる。また、引き出した後は容易に元の状態に戻すことができる。
【００１７】
図４は、第２発明にかかるキッチンキャビネットの収納構造の実施形態を示す斜視図である。本実施形態においてはキッチンキャビネット６の側板６１、６２に架設された棚板５の上面に固定レール４を固定し、その両端に延設された保持部に可動レール３を遊嵌合させるとともに、この可動レール３に収納箱Ｂが着脱自在に取り付けられている。すなわち、収納箱Ｂは第１発明の実施形態における収納箱Ａを略裏返した形態であり、可動レール３の上面に突設された係止突起３１を、枠体１の四隅のジョイント１３の端部をそのまま受け孔１１として係止することにより、収納箱Ｂが可動レール３に着脱自在に取り付けられる。
【００１８】
上記第１発明と第２発明とは同時に実施することも可能である。すなわち、棚板５の上面に収納箱Ｂを前後にスライド自在に取り付けるとともに、棚板５の下
面に収納箱Ａを前後にスライド自在に取り付けてもよい。また、棚板５を複数とし、それぞれに本発明にかかるキッチンキャビネットの収納構造を取り付けてもよい。このように本発明は種々設計変更可能であり、特許請求の範囲を逸脱しない限りいずれも本発明の技術的範囲に含まれる。
【図面の簡単な説明】
【００１９】
【図１】第１発明にかかるキッチンキャビネットの収納構造の実施形態を示す説明図である。
【図２】上記のキッチンキャビネットの収納構造に用いられる収納箱を示す分解斜視図である。
【図３】上記のキッチンキャビネットの収納構造にキッチン用品を収納した状態を示す正面図である。
【図４】第２発明にかかるキッチンキャビネットの収納構造の実施形態を示す斜視図である。
【符号の説明】
【００２０】
Ａ          第１発明のキッチンキャビネットの収納構造に用いられる収納箱
Ｂ          第２発明のキッチンキャビネットの収納構造に用いられる収納箱
１          枠体
１１        受け孔
１２        パイプ
１３        ジョイント
２          底板
３          可動レール
３１        係止突起
４          固定レール
５          棚板
６          キッチンキャビネット
６１        側板
６２        側板
【図１】
2006166949.tif 000003
【図２】
2006166949.tif 000004
【図３】
2006166949.tif 000005
【図４】
2006166949.tif 000006